(57)【要約】【課題】簡易な装置によって厚さを計測することにより、所望の厚さの平型電線を製造することができる平型電線の製造方法を提供する。【解決手段】並列した導体１１に絶縁樹脂１２を押出し被覆して平型電線１０を製造する平型電線の製造方法であって、絶縁樹脂１２を押出し被覆された絶縁樹脂層１３における導体１１の並列面Ｐに対して上面及び下面に光学式距離測定器２０ａ，２０ｂからレーザ光Ｂを照射して上面までの距離Ｄ１及び下面までの距離Ｄ２を測定し、光学式距離測定器２０ａ，２０ｂの間隔Ｌから上面までの距離Ｄ１及び下面までの距離Ｄ２を減じて平型電線１０の厚さＴを検出し、検出された厚さＴが所定の範囲内となるように絶縁樹脂１２の押出し量を調整する。【選択図】図３
2009032516.tif 000002
【特許請求の範囲】
【請求項１】
並列した導体に絶縁樹脂を押出し被覆して平型電線を製造する平型電線の製造方法であって、
前記絶縁樹脂が押出し被覆された絶縁樹脂層における前記導体の並列面に対して上方に設置された光学式距離測定器及び下方に設置された光学式距離測定器それぞれから前記導体の並列面の上面及び下面に検出光を照射して、前記上方に設置された光学式距離測定器から前記上面までの距離及び前記下方に設置された光学式距離測定器から前記下面までの距離を測定し、前記上方に設置された光学式距離測定器と前記下方に設置された光学式距離測定器の間隔から前記上面までの距離及び前記下面までの距離を減じて前記平型電線の厚さを検出し、前記検出された厚さが所定の範囲内となるように前記絶縁樹脂の押出し量を調整することを特徴とする平型電線の製造方法。
【請求項２】
請求項１に記載の平型電線の製造方法であって、
前記絶縁樹脂層の上面及び下面を前記導体の並列方向に走査して前記平型電線の幅方向で複数箇所の厚さを測定し、各測定箇所で最新の測定値と前回の測定値とを比較して、測定値の差が所定以上の場合にはその測定箇所での最新の測定値を採用せずに、採用した測定箇所での測定値から前記平型電線の厚さを検出して前記絶縁樹脂の押出し量を調整することを特徴とする平型電線の製造方法。
【発明の詳細な説明】
【技術分野】
【０００１】
本発明は、並列した導体に絶縁樹脂を押出し被覆して平型電線を製造する方法に関する。
【背景技術】
【０００２】
並列した導体に絶縁樹脂を押出し被覆して平型電線（フラットケーブル）を製造する際に、平型電線の平坦な面に超音波を当てて、平型電線の厚さ等、種々のパラメータを求める方法及び装置が知られている（例えば特許文献１参照）。
この方法及び装置では、水槽中に上下一対の超音波ヘッドを往復移動可能に設けておき、測定する平型電線を超音波ヘッドの移動方向と略直交する方向に移動させて、平型電線の幅方向へ走査する。これにより、平型電線の幅方向全体にわたって厚さを測定し、製造に必要な種々のパラメータを測定する。
【０００３】
【特許文献１】特開２００４−３４０９４４号公報
【発明の開示】
【発明が解決しようとする課題】
【０００４】
前記特許文献１に記載の測定装置では、水槽や超音波を用いているため装置が大掛かりであり、製造コストも嵩み易い。また、平型電線の厚さを直接計測する接触式測定器を使用した場合には、絶縁樹脂の押出し直後に計測子が接触すると、平型電線の表面に傷が付くおそれがある。
【０００５】
そこで、本発明の目的は、簡易な装置によって厚さを計測することにより、所望の厚さの平型電線を製造することができる平型電線の製造方法を提供することにある。
【課題を解決するための手段】
【０００６】
前記課題を解決することのできる本発明に係る平型電線の製造方法は、並列した導体に絶縁樹脂を押出し被覆して平型電線を製造する平型電線の製造方法であって、前記絶縁樹脂が押出し被覆された絶縁樹脂層における前記導体の並列面に対して上方に設置された光学式距離測定器及び下方に設置された光学式距離測定器それぞれから前記導体の並列面の上面及び下面に検出光を照射して、前記上方に設置された光学式距離測定器から前記上面までの距離及び前記下方に設置された光学式距離測定器から前記下面までの距離を測定し、前記上方に設置された光学式距離測定器と前記下方に設置された光学式距離測定器の間隔から前記上面までの距離及び前記下面までの距離を減じて前記平型電線の厚さを検出し、前記検出された厚さが所定の範囲内となるように前記絶縁樹脂の押出し量を調整することを特徴とする。
【０００７】
本発明に係る平型電線の製造方法において、前記絶縁樹脂層の上面及び下面を前記導体の並列方向に走査して前記平型電線の幅方向で複数箇所の厚さを測定し、各測定箇所で最新の測定値と前回の測定値とを比較して、測定値の差が所定以上の場合にはその測定箇所での最新の測定値を採用せずに、採用した測定箇所での測定値から前記平型電線の厚さを検出して前記絶縁樹脂の押出し量を調整することが好ましい。
【発明の効果】
【０００８】
本発明によれば、並列した導体に絶縁樹脂を押出し被覆して平型電線を製造する際に、押出し被覆された絶縁樹脂層の上下面に、導体の並列面に対して上方に設置された光学式距離測定器及び下方に設置された光学式距離測定器それぞれから検出光を照射し、それぞれ上下面までの距離を測定する。そして、測定された絶縁被覆層の上下面までの距離から平型電線の厚さを検出し、検出された厚さが所定の範囲内となるように絶縁樹脂の押出し量を調整するため、簡易な装置によって厚さを計測して、所望の厚さの平型電線を製造することができる。
【発明を実施するための最良の形態】
【０００９】
以下、本発明に係る平型電線の製造方法の実施形態の例を、図面を参照しつつ説明する。
図１は本実施形態に係る平型電線の製造方法を実施する製造装置を示す概略構成図、図２は平型電線の一例を示す断面図、図３は平型電線の厚さを測定する構成を示す説明図である。
【００１０】
図１に示すように、平型電線の製造装置３０は、複数本の導体１１を並列させて被覆装置３２に導入し、導体１１の周囲に絶縁樹脂１２を押出し被覆して平型電線１０を製造するものである。導体１１は、例えば錫メッキ銅合金の線状体であり、絶縁樹脂１２は、例えばＰＶＣ、ポリプロピレン、ポリウレタン等を用いることができる。
【００１１】
また、図２に平型電線１０の一例を示す。各部の寸法は、例えば、平型電線１０の幅Ｗ＝１０〜６０ｍｍ、平型電線１０の厚さＴ＝０．５〜１．５ｍｍ、導体１１の幅ｗ１＝１ｍｍ、導体１１の厚さｔ１＝０．１〜０．２ｍｍ、溝１４の幅ｗ２＝０．５ｍｍ、溝１４の深さｔ２＝０．３ｍｍである。なお、導体１１の形状や本数、溝１４の形状や本数はこれに限られない。
【００１２】
図１に示すように、被覆装置３２の下流側には、絶縁樹脂１２が押出し成形された直後の平型電線１０の厚さを測定するための光学式距離測定器２０ａ，２０ｂが設けられている。光学式距離測定器２０ａ，２０ｂは、平型電線１０の上方及び下方の所定の位置に各々設けられ、平型電線１０の上下面のそれぞれに検出用のレーザ光（検出光）Ｂを照射し、反射して戻ってきたレーザ光Ｂを受光して、光学式距離測定器２０ａ，２０ｂに接続されている制御装置３１に測定信号を伝達する。制御装置３１では、光学式距離測定器２０ａ，２０ｂから送られてきた測定信号に基づいて、平型電線１０の上下面までの距離を検出し、それに基づき平型電線１０の厚さを算出する。
【００１３】
図３に、平型電線１０の断面と光学式距離測定器２０ａ，２０ｂ及び各部の距離を示す。
光学式距離測定器２０ａ，２０ｂは、並列した導体１１の並列面Ｐに対して絶縁樹脂層１３の上面及び下面に、それぞれレーザ光Ｂを照射し、その反射光をそれぞれ検出することで、上方の光学式距離測定器２０ａと平型電線１０の上面との距離Ｄ１と、下方の光学式距離測定器２０ｂと平型電線１０の下面との距離Ｄ２とを測定する。レーザ光Ｂの光束は、例えば、５０μｍ×８５０μｍである。
【００１４】
平型電線１０の厚さＴを測定する際には、押出し被覆された直後の絶縁樹脂層１３の上下面に対してレーザ光Ｂを導体１１の並列方向（幅方向）に走査して平型電線１０の幅方向で複数箇所の厚さＴを測定する。レーザ光Ｂの走査時間は、例えば往復で２秒程度である。このとき、絶縁樹脂層１３が押出し被覆された平型電線１０は、上下および左右に振れる（例えば、１．２ｍｍ程度）ことがあるため、測定できない箇所が生じないように、レーザ光Ｂの走査範囲は平型電線１０の全幅よりも大きくするとよい。
【００１５】
そして、制御装置３１は、光学式距離測定器２０ａ，２０ｂの間隔Ｌと、測定した距離Ｄ１，Ｄ２を用いて、式「Ｔ＝Ｌ−（Ｄ１＋Ｄ２）」から平型電線１０の厚さＴを算出する。平型電線１０は上下左右に振れながら走行するため、距離Ｄ１及びＤ２は刻々と変化するが、本実施形態では、固定値である間隔ＬからＤ１とＤ２の値を引いて厚さＴを算出するため、平型電線１０の走行振れの影響を極力受けずに厚さＴを求めることができる。
【００１６】
さらに、制御装置３１は、算出された平型電線１０の厚さＴを、目標値である所定の厚さＴ０と比較する。制御装置３１は被覆装置３２に接続されており、検出された平型電線１０の厚さＴが所定の厚さＴ０よりも薄い（Ｔ＜Ｔ０）場合には、被覆装置３２を制御して、絶縁樹脂１２の押出し量を増加させて厚さＴを増加させる。一方、厚さＴが所定の厚さよりも厚い（Ｔ＞Ｔ０）場合には、被覆装置３２を制御して、絶縁樹脂１２の押出し量を減少させ、厚さＴを減少させる。
【００１７】
このように、検出された厚さＴが目標値である所定の厚さＴ０に対して所定の範囲内となるように、制御装置３１は被覆装置３２をフィードバック制御して絶縁樹脂１２の押出し量を調整する。これにより、簡易な構成の製造装置３０によって、所望の厚さの平型電線１０を製造することができる。
【００１８】
また、図２に示すように、平型電線１０の上面や下面に、導体１１を分岐するため、もしくは導体１１の位置を示すための溝１４が形成されている場合には、溝１４における測定値が急に減少して、見かけ上平型電線１０の厚さＴが不足しているように検出される。このような場合に、溝１４における測定値に基づいて絶縁樹脂１２の押出し量を増加させると、実際には厚さＴが足りていても絶縁樹脂１２の押出し量が増加するため、厚さＴが所定の厚さよりも厚くなってしまう。あるいは、平型電線１０が傾いた場合、見かけ上厚さＴが厚くなる。このような場合に絶縁樹脂１２の押出し量を減らすと、所定の厚さよりも薄くなってしまう。
【００１９】
そのため、平型電線１０の幅方向にレーザ光Ｂを走査して複数箇所で厚さＴを計測し、最新の測定値と前回の測定値とを比較して、測定値の差が所定以上の場合には、溝１４の位置の測定値である、または平型電線１０の走行振れがあったと判断できるため、その測定箇所での最新の測定値を採用しないようにする。そして、採用した複数箇所の測定値の平均値を算出して、平型電線１０の厚さＴとして判断し、被覆装置３２（図１参照）にフィードバックして絶縁樹脂１２の押出し量を調整するとよい。なお、複数箇所の測定値のうち、最大値を平型電線１０の厚さＴとして判断してもよい。
【図面の簡単な説明】
【００２０】
【図１】本発明の実施形態に係る平型電線の製造方法を実施する製造装置を示す概略構成図である。
【図２】平型電線の一例を示す断面図である。
【図３】平型電線の厚さを測定する構成を示す説明図である。
【符号の説明】
【００２１】
１０  平型電線
１１  導体
１２  絶縁樹脂
１３  絶縁樹脂層
２０  光学式距離測定器
Ｂ  レーザ光（検出光）
Ｄ１  平型電線の上面までの距離
Ｄ２  平型電線の下面までの距離
Ｌ  基準間隔
Ｔ  厚さ
【図１】
2009032516.tif 000003
【図２】
2009032516.tif 000004
【図３】
2009032516.tif 000005